(57)【要約】【課題】本発明は、ロータコアのマグネット用孔に非磁性バネ板を介して長手状マグネットを簡単・確実に保持することを目的とする。【解決手段】本発明によるＩＰＭロータ構造は、ロータコア(16)の外周縁に形成された多数のマグネット用孔(50)内に長手状弾性部材(62)と突出片(61)を有する非磁性バネ板(60)を配設し、この非磁性バネ板(60)を介して長手状マグネット(17)をマグネット用孔(50)内に保持する構成である。【選択図】図１
2014107924.tif 000002
【特許請求の範囲】
【請求項１】
筒状に形成されたロータコア(16)の外周縁に所定角度毎に設けられると共に軸方向(A)に沿って延設された複数のマグネット用孔(50)と、前記マグネット用孔(50)の底面(51)に設けられた長手状の非磁性バネ板(60)と、前記非磁性バネ板(60)の長手方向(B)に沿う両端に突出して形成された突出片(61)と、前記各突出片(61)間に形成され前記非磁性バネ板(60)の板面から突出する長手状弾性部材(62)と、前記非磁性バネ板(60)と前記マグネット用孔(50)の天井面(52)との間に挿入された長手状マグネット(17)と、を備え、
前記マグネット用孔(50)に挿入された前記長手状マグネット(17)は前記長手状弾性部材(62)によって前記天井面(52)側へ付勢され、前記長手状マグネット(17)は前記各突出片(61)間に位置していることを特徴とするＩＰＭロータ構造。
【請求項２】
前記突出片(61)及び前記長手状弾性部材(62)は、前記非磁性バネ板(60)の一部を切り起こして形成されていることを特徴とする請求項１記載のＩＰＭロータ構造。
【請求項３】
前記長手状マグネット(17)の両端は前記各突出片(61)に当接していることを特徴とする請求項１又は２記載のＩＰＭロータ構造。
【請求項４】
前記各マグネット用孔(50)の横断面でみて、幅方向(WT)に沿う両側には、前記長手状マグネット(17)の横断面幅(W)の外側に位置するように一対の逃げ溝(50a)が形成され、前記各逃げ溝(50a)は前記マグネット用孔(50)の軸方向(A)長さと同一となるように形成されていることを特徴とする請求項１ないし３の何れかに記載のＩＰＭロータ構造。
【請求項５】
前記各逃げ溝(50a)は、横断面でみて三角形をなすことを特徴とする請求項１ないし４の何れかに記載のＩＰＭロータ構造。
【請求項６】
前記非磁性バネ板(60)に形成された前記長手状弾性部材(62)は互いに並設された一対よりなり、前記非磁性バネ板(60)に形成された前記各突出片(61)は、互いに並設された一対よりなることを特徴とする請求項１ないし５の何れかに記載のＩＰＭロータ構造。
【発明の詳細な説明】
【技術分野】
【０００１】
本発明は、ＩＰＭロータ構造に関し、特に、ロータコアの外周縁に形成された長手状マグネット用孔に非磁性バネ板を介して長手状マグネットを挿入し、非磁性バネ板の突出片と長手状弾性部材によって長手状マグネットをマグネット孔内に確実に保持するための新規な改良に関する。
【背景技術】
【０００２】
従来、用いられていたこの種のロータ構造としては、図５で示される特許文献１に記載の構成を挙げることができる。
すなわち、図５において、モータケース１の壁面に内側へ切り起こして形成された係止部１０,１０に、矢印方向にモータケース１内に挿入されたマグネット２,２の一方の側端部同士が当接され、そして、略Ｃ字形状の押えバネ体３の略Ｃ字状の開口部側端部３０,３０とその反対側部３１とがマグネット２,２の他方の側端部同士に当接するように、挿入されたマグネット２,２の側端部間に圧入されるものである。圧入された押えバネ体３は、略Ｃ字状の開口部側端部３０,３０とその反対側部３１とが拡がるようにしてマグネット２,２を係止部１０方向に押圧して、モータケース１の内周面に２個のステータマグネット２０,２０を対向するように配設して固定して保持するものである。
【０００３】
また、図６、図７で示される特許文献２に記載の構成を挙げることができる。
すなわち、図６及び図７において、ロータコア１６の外周部に軸方向に延びるホルダ取付溝１５を設け、ホルダ取付溝４５に断面略Ｔ字状のホルダアーム３２を取り付ける。ホルダアーム３２は、本体部４１と嵌合突起４４及びマグネット保持片４２を備え、嵌合突起４４はホルダ取付溝４５と嵌合する。マグネット保持片４２に第１接触部４６と第２接触部４７、被接触部４８を設け、隣接するホルダアーム３２の対向するマグネット保持片４２とロータコア外周面１６ａによってマグネット収容部４３を形成する。マグネット収容部４３には軸方向からロータマグネット１７が圧入固定される。これにより、精度良くかつ低コストでマグネットをロータコア等に固定可能なマグネット固定構造を提供する。
【０００４】
また、図示していないが、多くのＩＰＭロータ構造においては、ロータコアの外周縁に埋め込むマグネットは、接着剤によってロータコアに接着固定されていた。
【先行技術文献】
【特許文献】
【０００５】
【特許文献１】特開平６−１６９５３８号公報
【特許文献２】国際公開第２００６／００８９６４号公報
【発明の概要】
【発明が解決しようとする課題】
【０００６】
従来のロータ構造は、以上のように構成されていたため、次のような課題が存在していた。
すなわち、図５の従来構成の場合、マグネットを押えバネ体で強く押える構成であるため、細分化された多くのマグネットを柱状のロータコアの外周に固定するためには不適であった。
【０００７】
また、図６及び図７に示される従来構成の場合、ロータコアの外周に多数のマグネットを取り付けるには好適な構成であるが、各々マグネットを押える本体部の寸法が大きく、ＩＰＭロータ構造に適用するには、不適であった。
また、図示していないＩＰＭロータ構造における各マグネットを接着固定することは、接着強度が経時劣化するため、長年の使用に耐えることは困難であった。
また、この場合は、接着剤を扱うため、大量生産時のネックになっていた。
【０００８】
本発明は、以上のような課題を解決するためになされたもので、特に、ロータコアの外周縁に形成されたマグネット用孔に非磁性バネ板を介してマグネットを挿入し、非磁性バネ板の突出片と長手状弾性部材によってマグネットをマグネット孔内に確実に保持することである。
【課題を解決するための手段】
【０００９】
本発明によるＩＰＭロータ構造は、筒状に形成されたロータコアの外周縁に所定角度毎に設けられると共に軸方向に沿って延設された複数のマグネット用孔と、前記マグネット用孔の底面に設けられた長手状の非磁性バネ板と、前記非磁性バネ板の長手方向に沿う両端に突出して形成された突出片と、前記各突出片間に形成され前記非磁性バネ板の板面から突出する長手状弾性部材と、前記非磁性バネ板と前記マグネット用孔の天井面との間に挿入された長手状マグネットと、を備え、前記マグネット用孔に挿入された前記長手状マグネットは前記長手状弾性部材によって前記天井面側へ付勢され、前記長手状マグネットは前記各突出片間に位置している構成であり、また、前記突出片及び前記長手状弾性部材は、前記非磁性バネ板の一部を切り起こして形成されている構成であり、また、前記長手状マグネットの両端は前記各突出片に当接している構成であり、また、前記各マグネット用孔の横断面でみて、幅方向に沿う両側には、前記長手状マグネットの横断面幅の外側に位置するように一対の逃げ溝が形成され、前記各逃げ溝は前記マグネット用孔の軸方向長さと同一となるように形成されている構成であり、また、前記各逃げ溝は、横断面でみて三角形をなす構成であり、また、前記非磁性バネ板に形成された前記長手状弾性部材は互いに並設された一対よりなり、前記非磁性バネ板に形成された前記各突出片は、互いに並設された一対よりなる構成である。
【発明の効果】
【００１０】
本発明によるＩＰＭロータ構造は、以上のように構成されているため、次のような効果を得ることができる。
すなわち、筒状に形成されたロータコアの外周縁に所定角度毎に設けられると共に軸方向に沿って延設された複数のマグネット用孔と、前記マグネット用孔の底面に設けられた長手状の非磁性バネ板と、前記非磁性バネ板の長手方向に沿う両端に突出して形成された突出片と、前記各突出片間に形成され前記非磁性バネ板の板面から突出する長手状弾性部材と、前記非磁性バネ板と前記マグネット用孔の天井面との間に挿入された長手状マグネットと、を備え、前記マグネット用孔に挿入された前記長手状マグネットは前記長手状弾性部材によって前記天井面側へ付勢され、前記長手状マグネットは前記各突出片間に位置していることにより、長手状マグネットをスラスト方向及びラジアル方向に対して容易かつ確実に固定することができる。
また、前記突出片及び前記長手状弾性部材は、前記非磁性バネ板の一部を切り起こして形成されていることにより、長手状弾性部材を極めて容易に形成でき、かつ、長手状マグネットを容易に付勢できる。
また、前記長手状マグネットの両端は前記各突出片に当接していることにより、確実に長手状マグネットを保持できる。
また、前記各マグネット用孔の横断面でみて、幅方向に沿う両側には、前記長手状マグネットの横断面幅の外側に位置するように一対の逃げ溝が形成され、前記各逃げ溝は前記マグネット用孔の軸方向長さと同一となるように形成されていることにより、マグネット用孔内に長手状マグネットを挿入する際の逃げを各逃げ溝で行うことができ、長手状マグネットの挿入を容易化できる。
また、前記各逃げ溝は、横断面でみて三角形をなすことにより、長手状マグネットの挿入時に最適な形状とすることができる。
また、前記非磁性バネ板に形成された前記長手状弾性部材は互いに並設された一対よりなり、前記非磁性バネ板に形成された前記各突出片は、互いに並設された一対よりなることにより、長手状マグネットをマグネット用孔内に挿着した時における係止動作及び弾性付勢力を十分に発揮し、長手状マグネットの確実な保持を達成することができる。
【図面の簡単な説明】
【００１１】
【図１】本発明によるＩＰＭロータ構造を示す横断面図である。
【図２】図１の縦断面図である。
【図３】図１の非磁性バネ板を示す拡大斜視図である。
【図４】図１の要部を示す拡大縦断面図である。
【図５】従来のモータ構造を示す分解斜視図である。
【図６】従来のロータ構造を示す横断面図である。
【図７】図６の要部Ａの拡大断面図である。
【発明を実施するための形態】
【００１２】
本発明は、ロータコアの外周縁に形成されたマグネット用孔に非磁性バネ板を介して長手状マグネットを挿入し、非磁性バネ板の突出片と長手状弾性部材によって長手状マグネットをマグネット孔内に確実に保持するようにしたＩＰＭロータ構造を提供することを目的とする。
【実施例】
【００１３】
以下、図面と共に本発明によるＩＰＭロータ構造の好適な実施の形態について説明する。
尚、図６、図７の従来構成と同一又は同等部分には、同一符号を付して説明する。
図１において、符号２で示されるものはロータシャフト２であり、このロータシャフト２は円筒状をなすロータコア１６の軸孔２Ａに嵌入されている。
前記ロータコア１６の外周縁には、所定角度毎に軸方向Ａに沿って延設された複数のマグネット用孔５０が形成され、前記マグネット用孔５０には長手状マグネット１７が挿入されていると共に、このマグネット用孔５０は、横断面でみると六面の六角形をなし、その中で、ロータシャフト２の軸心Ｐに最も近い位置の面が底面５１として形成され、この底面５１と対向する位置に天井面５２が形成されている。
【００１４】
前記各マグネット用孔５０の図１の横断面でみて幅方向に沿う両側には、前記長手状マグネット１７の横断面幅Ｗの外側に位置するように一対の逃げ溝５０ａが形成され、前記各逃げ溝５０ａは前記マグネット用孔５０の軸方向長さと同一となるように軸方向Ａに沿って形成されている。
【００１５】
前記各逃げ溝５０ａは、横断面でみて三角形をなすと共に、前記マグネット用孔５０と連通し、このマグネット用孔５０内に長手状マグネット１７を挿入した時に、マグネット用孔に５０が拡開する時の力の逃げ作用、すなわち、力の吸収作用となって、前記マグネット用孔５０の損傷を防止することができるように構成されている。
【００１６】
前記マグネット用孔５０の底面５１上には、図３及び図４で示される非磁性バネ板６０が設けられ、この非磁性バネ板６０は、その長手方向Ｂに沿う両端に突出して切り起こしによる突出片６１が形成されている。
前記突出片６１は、両端に各１個とした場合もその係止作用を得ることができるが、図３のように、両端に一対ずつ並設して形成されている方がより確実な係止作用を得ることができる。
【００１７】
前記非磁性バネ板を介して６０上の両端の前記各突出片６１間には、非磁性バネ板６０の板面から切り起こして突出すると共に長手方向Ｂに沿って延設された一対の長手状弾性部材６２が形成されている。
【００１８】
前記底面５１上に前記非磁性バネ板６０を設け、この非磁性バネ板６０と前記天井面５２との間に長手状マグネット１７を挿入すると、前記長手状マグネット１７は前記長手状弾性部材６２の反発力による付勢力によって天井面５２に向けて付勢されると共に、この長手状マグネット１７の両端は、図４で示されるように、前記各突出片６１によって係止されて保持される。
【００１９】
従って、前記マグネット用孔５０に挿入された前記長手状マグネット１７は、前記長手状弾性部材６２によって前記天井面５２側へ付勢されると共に、その両端が各突出片６１間に位置して簡単かつ確実に保持される。
前記マグネット用孔５０内に挿入された長手状マグネット１７は、前記非磁性バネ板６０の長手状弾性部材と突出片６１によって保持されるため、従来構成よりも、より簡単で確実に保持状態を維持することができる。
【産業上の利用可能性】
【００２０】
本発明によるＩＰＭロータ構造は、マグネット用孔内に非磁性バネ板を介して長手状マグネットを挿入することにより、複数の長手状マグネットをロータコアの外周縁に簡単・確実に取り付けることができる。
【符号の説明】
【００２１】
２    ロータシャフト
２Ａ    軸孔
１６    ロータコア
１７    長手状マグネット
５０    マグネット用孔
５１    底面
５０ａ    逃げ溝
５２    天井面
６０    非磁性バネ板
６１    突出片
６２    長手状弾性部材
Ｐ    軸心
Ａ    軸方向
Ｂ    長手方向
ＷＴ    幅方向
Ｗ    横断面幅
【図１】
2014107924.tif 000003
【図２】
2014107924.tif 000004
【図３】
2014107924.tif 000005
【図４】
2014107924.tif 000006
【図５】
2014107924.tif 000007
【図６】
2014107924.tif 000008
【図７】
2014107924.tif 000009